(57)【要約】      （修正有）【課題】赤外線センサーで域内への野獣の浸入を察知し、自動的に野獣の目前でビニ一ル風船またはゴム風船を瞬時に膨張、収縮、また破裂させて野獣を威嚇、撃退する野獣撃退装置を提供する。【解決手段】圧力空気が充填されたボンベ３，４、赤外線センサー７、電磁式空気切替弁６、電磁式空気切替弁切り替えスイッチ５、及びゴム又はビニール風船を組み合わせ、赤外線センサーで野獣の域内侵入を察知し電磁式空気切替弁及び電磁式空気切替弁切り替えスイッチに信号を送り適宜数の電磁式空気切替弁を開に作動させてビニール風船及びゴム風船を瞬時に膨張させる。さらに、ビニール風船は数分ないし数十分後に収縮させるがゴム風船は膨張後破裂させて電磁式空気切り替えスイッチ５が予備の電磁式空気切替弁６に切り替えて次の赤外線センサーからの信号を待つ。野獣の目前で瞬時に動く物体を出現させ威嚇、撃退するために風船を使用する事を特徴とする。【選択図】図１
0003160320.tif 000002
【実用新案登録請求の範囲】
【請求項１】
赤外線センサ一で野獣の浸入を察知し野獣の目前で瞬時にビニ一ル風船またはゴム風船を膨張、収縮、また破裂させて威嚇、撃退することを特徴とする野獣撃退装置。
【請求項２】
ゴム風船に砂利等を少量封入し破裂時に飛散させる野獣撃退装置。
【考案の詳細な説明】
【技術分野】
【０００１】  本考案は、無人の果樹園、田畑を荒らす野獣撃退装置に関するものである。
【背景技術】
【０００２】  従来無人の野山で、果樹、野菜等を荒らす野獣の撃退には可燃性ガス等を使用した爆発音、または光による威嚇、撃退が行われていたが一時的には効果はあったが野獣が音、光以外に何もないこと知ると以前と同じ結果となった。音については民家に近い場合騒音公害も発生した。
【先行技術文献】
【特許文献】
【０００３】  特開  ２００７−２８９１４０
【考案の概要】
【考案が解決しようとする課題】
【０００４】  本考案は音、光以外に野獣の目前で瞬時に動く物体を出現させて前記の欠点を解決しようとするものである。
【課題を解決するための手段】
【０００５】  本考案は野獣の域内浸入を赤外線センサ一で察知し野獣の目前で野獣の等身大かそれに近い、ビニ一ル風船またはゴム風船を瞬時に膨張させ野獣を威嚇、撃退する。ビニ一ル風船は膨張後、数分または数十分後に収縮させ次ぎの赤外線センサ一の信号を待つ、これを繰り返す。またゴム風船は膨張後破裂させる。ゴム風船には前もって少量の砂利等を封入し破裂時に野獣または周囲に飛散させる事が出来る。本考案は野獣の目前で動きをする物体を出現させる事を手段とした。
【考案の効果】
【０００６】  上記のごとく野獣は音、光で一時は驚異を感じる様であるが自身に危害を加えない事を知ると無視するようになる。しかし風などで常に動くものでなく野獣の目前で瞬時に現れる動く物体には警戒心は強い。本考案は赤外線センサ一で野獣の浸入を関知しその目前でビニ一ル風船またはゴム風船を膨張、収縮また破裂させて動きを与えるために民家に近くとも音などによる騒音公害は発生しない。またコストは廉価に提供でき使用方法も容易であるなど実用上至便である。
【図面の簡単な説明】
【０００７】
【図１】本考案本体の使用部品の明細と空気の流れを示す。（ゴム風船、４，ビニ一ル風船、２とした）
【図２】ゴム風船取り付け台、ビニ一ル風船取り付け台  略図
【考案を実施するための形態】
【０００８】本考案では圧力空気を必要とするため電力のないところではエンジン式の空気圧縮機を必要とする。またそれに変わる圧力空気ボンベが必要である。  （図１−３）
撃退装置本体には、２バッテリ一、４低圧空気ボンベ、５電磁式空気切替弁自動切り替えスイッチ、６電磁式空気切替弁、７赤外線センサ一を内蔵する。
６電磁式空気切替弁の一次側は、４低圧空気ボンベと接続し常に圧力がかかった状態で弁は（閉）である。６電磁式空気切替弁の２次側は、８エア一ホ一スから、９、１１、の風船取り付け台の、１０ゴム風船、１２ビニ一ル風船にそれぞれに接続し、風船をセットした状態で野獣の浸入を待つ。
【実施例】
【０００９】野獣の浸入は、７赤外線センサ一が察知し、６ａ，、６ｂ、電磁式空気切替弁と、６ｃ、電磁式空気切替弁および、５電磁式空気切替弁自動切り替えスイッチに信号を送り、６ａ，，６、ｂおよび、６ｃ電磁式空気切替弁を（開）に作動させる。
６ｃ，電磁式空気切替弁は、４低圧空気ボンベ中の空気を、８エァ一ホ一スを通り、９ゴム風船取り付け台の、１０ゴム風船を膨張させ破裂させた後、５電磁式空気切替弁切り替えスイッチが、６ｄ電磁式空気切替弁に切り替え次の、７赤外線センサ一からの信号を待つまた電磁式空気切替弁、６ａ，６ｂ、からの空気は、８エア一ホ一を通り，１１ビニ一ル風船取り付け台の、１２ビニ一ル風船を膨張させ数分後に収縮させて次の，７赤外線センサ一からの信号を待つ。このビニ一ル風船は破裂させないため常に赤外線センサ一からの信号で膨張、収縮をくりかえす。
この場合ビニ一ル風船とゴム風船の数の入れ替えは現場の状況により変えることもまた増設することも出来る
【産業上の利用可能性】
【００１０】  上記の通り騒音公害等は無くコストは廉価に提供でき使用方法も容易で有るなど実用上至便である。
【符号の説明】
【００１１】１        撃退装置本体
２        バッテリ一
３        高圧空気ボンベ
４        低圧空気ボンベ
５        電磁式空気切替弁切り替えスイッチ
６        電磁式空気切替弁  （ａ，ｂ，ｃ，ｄ，ｅ，ｆ，）
７        赤外線センサ一
８        エア一ホ一ス
９        ゴム風船取り付け台（ｃ，ｄ  ｅ，ｆ，）
１０      ビニ一ル風船
１１      ビニ一ル風船取り付け台（ａ，ｂ，）
１２      ビニ一ル風船
１３      砂利等
【図１】
0003160320.tif 000003
【図２】
0003160320.tif 000004
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
圧力空気が充填されたボンベ、赤外線センサー、電磁式空気切替弁、電磁式空気切替弁切り替えスイッチ、及びゴム又はビニール風船を組み合わせ、赤外線センサーで野獣の域内侵入を察知し電磁式空気切替弁及び電磁式空気切替弁切り替えスイッチに信号を送り適宜数の電磁式空気切替弁を開に作動させてビニール風船及びゴム風船を瞬時に膨張させビニール風船は数分ないし数十分後に収縮させるがゴム風船は膨張後破裂させて電磁式空気切り替えスイッチが予備の電磁式空気切替弁に切り替えて次の赤外線センサーからの信号を待つが野獣の目前で瞬時に動く物体を出現させ威嚇、撃退するために風船を使用する事を特徴とする野獣撃退装置。
【請求項２】
ゴム風船には少量の猛獣の体臭のある砂利を封入し破裂時に野獣又は周囲に飛散させる事が出来る請求項１に記載した野獣撃退装置。
【手続補正２】
【補正対象書類名】明細書
【補正対象項目名】０００５
【補正方法】変更
【補正の内容】
【０００５】    本考案は野獣の域内侵入を赤外線センサーで察知し野獣の目前で野獣の等身大かそれに近いビニール風船又はゴム風船を瞬時に膨張させ野獣を威嚇、撃退する。ビニール風船は膨張後、数分又は数十分後に収縮させ次の赤外線センサーからの信号を待つ、これを繰り返す。又ゴム風船は膨張後破裂させる。ゴム風船には前もって少量の砂利を封入し破裂時に野獣又は周囲に飛散させることが出来る。本考案は野獣の目前で動きをする物体を出現させる事を手段とした。
【手続補正３】
【補正対象書類名】明細書
【補正対象項目名】０００８
【補正方法】変更
【補正の内容】
【０００８】    本考案では圧力空気を必要とするため電力のないところではエンジン式の空気圧縮機を必要とする。又それに変わる圧力空気ボンベが必要である。    （図１−３）
撃退装置本体には、２バッテリー、４低圧空気ボンベ、５電磁式空気切替弁切り替えスイッチ、６電磁式空気切替弁、７赤外線センサーを内蔵する。
６電磁式空気切替弁の一次側は、４低圧空気ボンベと接続し常に圧力が掛かった状態で弁は（閉）である。電磁式空気切替弁の二次側は、８エアーホースから、９、１１風船取り付け台の、１０ゴム風船、１２ビニール風船にそれぞれ接続し風船をセットした状態で野獣の侵入を待つ。
【手続補正４】
【補正対象書類名】明細書
【補正対象項目名】００１１
【補正方法】変更
【補正の内容】
【００１１】    １          撃退装置本体
２          バッテリー
３          高圧空気ボンベ
４          低圧空気ボンベ
５          電磁式空気切替弁切り替えスイッチ
６          電磁式空気切替弁  （ａ、ｂ、ｃ、ｄ、ｅ、ｆ）
７          赤外線センサー
８          エアーホース
９          ゴム風船取り付け台  （ｃ、ｄ、ｅ、ｆ）
１０        ゴム風船
１１        ビニール風船取り付け台  （ａ、ｂ）
１２        ビニール風船
１３        砂利